(57)【要約】【課題】  脱衣時において、使用者に精神的ストレスを与えることなく、瞬時に脱衣することができるトレーニング用ズボンの提供を課題とする。【解決手段】  トレーニング用ズボンＰの左右の側面には、その全長に亘って簡易分離ファスナー３０がそれぞれ配設されている。また、トレーニング用ズボンＰの左右のウエスト部１３には、一端がウエスト部１３に固定され、他端にウエスト部１３と着脱自在に係合する係合具１５が設けられている握手用ベルト１４が配設されている。使用者（選手Ａ）は、ウエスト部１３の左右にある係合具１５の係合状態を解除して、左右の握手用ベルト１４を、それぞれ左右の手で握って前方に押し出すことによりトレーニング用ズボンＰを身体から分離することができる。【選択図】  図１
0003207003.tif 000002
【実用新案登録請求の範囲】
【請求項１】
前身頃と後身頃の２枚の布製の部材の側辺部をそれぞれ合わせて縫着して構成されるトレーニング用ズボンであって、左右の側面部にそれぞれ形成される前記前身頃と前記後身頃の境界線である左右の脇線部には、ウエスト部の上部から裾部の下部に亘って開閉および着脱自在なスライドファスナーがそれぞれ配設されているトレーニング用ズボンにおいて、
前記スライドファスナーは、上側スライダーと下側スライダーの２個のスライダーを有する簡易分離ファスナーによって構成され、
前記トレーニング用ズボンの左右のウエスト部には、それぞれ前記簡易分離ファスナーを跨ぐように握手用ベルトが配設され、当該握手用ベルトの一端は前記前身頃のウエスト部に固定され、他端は前記後身頃のウエスト部に係合部材によって着脱自在に係止され、
前記簡易分離ファスナーの上止の位置に前記上側スライダーが位置している場合、前記上側スライダーの一部または全部を前記握手用ベルトが覆うように前記簡易分離ファスナーが配設されていることを特徴とするトレーニング用ズボン。
【請求項２】
前記簡易分離ファスナーの前記上側スライダーが上止する位置が、前記握手用ベルトの下端部付近に選ばれていることを特徴とする請求項１に記載のトレーニング用ズボン。
【考案の詳細な説明】
【技術分野】
【０００１】
本考案は、運動を行うとき等に着用するトレーニングウェアのトレーニング用ズボンに関するものである。
【背景技術】
【０００２】
従来から、アスリートなど運動を行う者、例えば図８に示すようなフィギュアスケートの選手Ａは、競技中または競技前の練習時には、スケート靴Ｓを履き競技用のコスチュームＤを着用して氷上で演技を行なっている。
【０００３】
そして、図８に示したような状態で競技前の練習を終了した選手Ａは、自分の競技が始まるまでの待ち時間においては、身体が冷えて運動能力が低下しないように、図９に示したような状態、すなわち、トレーニング用ジャケットＪとトレーニング用ズボンＰを競技用のコスチュームＤの上から着用した状態で待機している。
【０００４】
このようなフィギュアスケートの選手Ａが待機時間中に着用するトレーニング用ズボンＰとしては、スケート靴Ｓを脱がずにズボンの着脱ができる図１０に示したような構成のトレーニング用ズボンＰが従来から使用されている。
【０００５】
図１０に示したトレーニング用ズボンＰは、基本的には一般のズボンの構成と同様に、前身頃１１と後身頃１２という２枚の布製の部材の側辺部をそれぞれ合わせて縫着して、ズボンＰの左右の脇線部と内股線部を形成することによって構成されているものである。ここで、図１０に示したトレーニング用ズボンＰが一般のズボンの構成と異なるところは、左右の側面部にそれぞれ形成される前身頃１１と後身頃１２との境界線である左右の脇線部に、ウエスト部の上部から裾部の下部に亘って開閉自在であり且つ着脱可能なスライドファスナー２０が配設されていることである。この左右の側面にそれぞれ配設されているスライドファスナー２０には、それぞれ上側スライダー２１と下側スライダー２２との２個のスライダーが装着されている。従って、使用者である選手Ａは、トレーニング用ズボンＰを脱ぐことなく、下側スライダー２２を若干上に移動させてスライドファスナー２２の下端部を開放させた状態にすることによって、容易にスケート靴Ｓ全体を露出させてその調整などを行なうことができる。
【０００６】
次に、図１０に示すように構成された従来のトレーニング用ズボンＰの着脱方法について図面を用いて説明する。
【０００７】
図１０に示したトレーニング用ズボンＰを着用する場合、例えば競技前の練習を終了したフィギュアスケートの選手Ａは、先ず、左右のスライドファスナー２０を外した状態のトレーニング用ズボンＰを用意して、自分の身体の前面側に前身頃１１の内側を当てて、身体の後面側（背面側）に後身頃１２の内側を当てる。
【０００８】
次に、図１１に示すように、スライドファスナーを構成する務歯列２３の最上部に配設されている止具によって上側スライダー２１の移動が規制される位置（上止）まで上側スライダー２１を移動させる。この状態で上側スライダー２１の下端部に下側スライダー２２の上端部を密着させて、この２つのスライダー２１，２２に前身頃１１側の務歯列２４の最上部に配設されている蝶棒２５を差し込んで、図１２に示したように片手Ｈ２で下側スライダー２２を摘んで、図１３に示したように下側スライダー２２を下方に移動させる。そして、図１４に示したようにトレーニング用ズボンＰの裾部の下側スライダー２２の移動が規制される位置（下止）まで下側スライダー２２を移動させる。
【０００９】
以上の動作を左右のスライドファスナー２０について行なうことによって、選手Ａはトレーニング用ズボンＰの着用動作を終了する。
【００１０】
トレーニング用ズボンＰの着用を終了した選手Ａは、トレーニング用ジャケットＪを着用して図９に示した状態になって自分の競技開始時間まで待機する。
【００１１】
自分の競技開始時間の間近になると、選手Ａはトレーニング用ジャケットＪを脱ぎ、次にトレーニング用ズボンＰを脱いで、図８に示した競技用のコスチュームＤのみの状態になる。
【００１２】
この際、選手Ａは従来のトレーニング用ズボンＰを以下のようにして脱いでいた。
【００１３】
先ず、選手Ａは図１５に示したように、トレーニング用ズボンＰの裾部の下端部に位置している下側スライダー２２を片手Ｈ２で摘んで上方に移動させ、下側スライダー２２が図１６に示したように上側スライダーに当たる位置まで移動させる。
【００１４】
このような状態にした後、選手Ａは図１７に示したように、上側スライダー２１が上止に位置しており、且つ下側スライダー２２の上端部が上側スライダー２１の下端部に密着しているのを確かめた後、この２つのスライダー２１，２２から蝶棒２５を抜いてトレーニング用ズボンＰの側面を開放状態にする。
【００１５】
以上のようにしてトレーニング用ズボンＰの左右両側面を開放状態にして、選手Ａは自らの身体からトレーニング用ズボンＰを外す。
【考案の概要】
【考案が解決しようとする課題】
【００１６】
以上説明した従来のトレーニング用ズボンＰにおいては、図１７に示したように上側スライダー２１が上止に位置しており、且つ下側スライダー２２の上端部が上側スライダー２１の下端部に密着した状態でなければ、この２つのスライダー２１，２２から蝶棒２５を抜くことが出来ず、従ってトレーニング用ズボンＰの側面を開放状態にすることが出来なかった。
【００１７】
従って、従来のトレーニング用ズボンＰを着用している選手Ａは、自らの競技前の精神が緊張している状態において、上側スライダー２１が上止に位置しており、且つ下側スライダー２２の上端部が上側スライダー２１の下端部に密着しているのを確かめた後に蝶棒２５を抜くという細かい操作を強いられることになり、選手Ａの精神的ストレスを高じさせてしまうという問題があった。そして、場合によっては選手Ａの指先を傷つけてしまうという虞もあった。
【課題を解決するための手段】
【００１８】
以上の問題を解決するために、本考案は、前身頃と後身頃の２枚の布製の部材の側辺部をそれぞれ合わせて縫着して構成されるトレーニング用ズボンであって、左右の側面部にそれぞれ形成される前記前身頃と前記後身頃の境界線である左右の脇線部には、ウエスト部の上部から裾部の下部に亘って開閉および着脱自在なスライドファスナーがそれぞれ配設されているトレーニング用ズボンにおいて、前記スライドファスナーは、上側スライダーと下側スライダーの２個のスライダーを有する簡易分離ファスナーによって構成され、前記トレーニング用ズボンの左右のウエスト部には、それぞれ前記簡易分離ファスナーを跨ぐように握手用ベルトが配設され、当該握手用ベルトの一端は前記前身頃のウエスト部に固定され、他端は前記後身頃のウエスト部に係合部材によって着脱自在に係止され、前記簡易分離ファスナーの上止の位置に前記上側スライダーが位置している場合、前記上側スライダーの一部または全部を前記握手用ベルトが覆うように前記簡易分離ファスナーが配設されていることを特徴とするものである。ここで、前記簡易分離ファスナーの前記上側スライダーが上止する位置が、前記握手用ベルトの下端部付近に選ばれていてもよい。
【考案の効果】
【００１９】
本考案によれば、脱衣時において、使用者に精神的ストレスを与えることなく、瞬時に脱衣することができるトレーニング用ズボンを提供することができる。
【図面の簡単な説明】
【００２０】
【図１】本考案の実施例１の構成を示す構成図である。
【図２】本考案の実施例１に係る簡易分離ファスナーの説明図である。
【図３】本考案の実施例１の構成の説明図である。
【図４】本考案の実施例１の構成の説明図である。
【図５】本考案の実施例１の使用方法の説明図である。
【図６】本考案の実施例１の構成の説明図である。
【図７】本考案の実施例１の構成の説明図である。
【図８】競技中の選手の状態の説明図である。
【図９】待機中の選手の状態の説明図である。
【図１０】従来のトレーニング用ズボンの構成図である。
【図１１】従来のトレーニング用ズボンの使用方法の説明図である。
【図１２】従来のトレーニング用ズボンの使用方法の説明図である。
【図１３】従来のトレーニング用ズボンの使用方法の説明図である。
【図１４】従来のトレーニング用ズボンの使用方法の説明図である。
【図１５】従来のトレーニング用ズボンの使用方法の説明図である。
【図１６】従来のトレーニング用ズボンの使用方法の説明図である。
【図１７】従来のトレーニング用ズボンの使用方法の説明図である。
【考案を実施するための形態】
【００２１】
以下、図面を用いて本考案の実施例を説明する。
【実施例１】
【００２２】
図１は、本考案の実施例１の構成を示した構成図であり、図１０に示した従来のトレーニング用ズボンＰと同一符号のものは同一のものを示しているのでその説明は省略する。
【００２３】
本実施例１が従来のトレーニング用ズボンＰの構成と異なる所は、トレーニング用ズボンＰの両側面に配設されているスライドファスナー２０が簡易分離ファスナー３０となっていることと、両側面部のウエスト部１３に簡易分離ファスナー３０を跨ぐように握手用ベルト１４が配設されていることである。
【００２４】
以下、簡易分離ファスナー３０と握手用ベルト１４について説明する。
【００２５】
先ず、簡易分離ファスナー３０とは、ＹＫＫ株式会社によって既に提案され（国際公開番号：ＷＯ２０１５／１４５６４２  Ａ１）、この「簡易分離ファスナー」と言う名称で既に販売されているスライドファスナーである。
【００２６】
この簡易分離ファスナー３０は、図２（ａ）に示したように、スライダー２１によって通常の開閉ができるとともに、スライダー２１の上端部に矢印の方向、すなわち斜め下方向の力を加えると（所謂「股裂き状態」になるような力を加えると）、図２（ｂ）に示したように、スライダー２１との係合状態が解除されて、そのままファスナー３０を開くことができるスライドファスナーである。
【００２７】
本実施例１においては、この簡易分離ファスナー３０が左右の両側面部に配設されている。
【００２８】
次に、本実施例１の両側面部のウエスト部１３に簡易分離ファスナー３０を跨ぐように配設されている握手用ベルト１４は、図３に示すように、握手用ベルト１４の一端は前身頃１１のウエスト部１３に固定されている。また、握手用ベルト１４の他端には、後身頃１２のウエスト部に配設されている後身頃側係合部材１５ｂと着脱自在に係合するベルト側係合部材１５ａが配設されている。ベルト側係合部材１５ａと後身頃側係合部材１５ｂは一対の部材であり、両者で係合具１５を形成するものである。本実施例１においては、係合具１５としてホックを用いている。
【００２９】
図４（ａ）は、係合具１５の係合を解除した状態を示した図であり、図４（ｂ）はベルト側係合部材１５ａが後身頃側係合部材１５ｂと係合している状態を示した図である。
【００３０】
図４（ｂ）に示したように、係合具１５が係合状態のときには、上止の位置にある上側スライダー２１の一部または全部が握手用ベルト１４によって覆われるように簡易分離ファスナー３０は配設されている。従って図４（ｂ）に示したように、係合具１５が係合状態にあるときには、ウエスト部の前身頃１１と後身頃１２とが握手用ベルト１４によって係止されることになるので、この状態では外部から力が加わったとしても、簡易分離ファスナー３０は開かない。
【００３１】
以上のように構成された本実施例１に係るトレーニング用ズボンＰにおいては、トレーニング用ズボンＰを着用するときには、図１１〜図１４を用いて先に説明した従来のトレーニング用ズボンＰと同様の方法で着用する。そして、着用している本実施例１に係るトレーニング用ズボンＰを脱ぐときには、図５（ａ）で示したように、左右の後身頃側係合部材１５ｂからそれぞれベルト側係合部材１５ａを外して、左右の手Ｈ１，Ｈ２でそれぞれの側の握手用ベルト１４を握り、その状態で２個の握手用ベルト１４を前方に押し出せば、図５（ｂ）〜図５（ｄ）に示したように、瞬時にしてトレーニング用ズボンＰを選手Ａの身体から分離させることができる。
【００３２】
ここで、握手用ベルト１４が無い場合には、図６に示したように、使用者である選手Ａは、身体をひねった状態で上側スライダー２１の両側のウエスト部を左右の手Ｈ１，Ｈ２でそれぞれ握り、片方の手Ｈ２で後方向の力を加えなければ、簡易分離ファスナー３０を開くことが出来ない。これに比して、本実施例１のように握手用ベルト１４を用いれば、図５（ａ）〜図５（ｄ）に示したように使用者である選手Ａは無駄な力を必要とせずに簡易分離ファスナー３０を開くことができる。
【００３３】
また、本実施例１においては、図７（ａ）に示したように、上側スライダー２１が上止する位置が握手用ベルト１４の下端部付近となるように簡易分離ファスナー３０は配設されているので、握手用ベルト１４を前方に押し出せば、上側スライダー２１の上端部には自然と矢印方向すなわち斜め下方に力が加わるので、図７（ｂ）に示したように上側スライダー２１が上止する位置を握手用ベルト１４の上端部付近に選んだ場合に比して少ない力で簡易分離ファスナー３０を開くことができる。
【００３４】
なお、以上説明した本実施例１においては、アスリートが使用するトレーニング用ズボンＰとして説明を行なったが、本実施例１に簡単にズボンを分離することが出来るので、介護用のズボンとしても好適なズボンとして使用することが出来る。
【符号の説明】
【００３５】
１１  前身頃
１２  後身頃
１３  ウエスト部
１４  握手用ベルト
１５  係合具
１５ａ  ベルト側係合部材
１５ｂ  後身頃側係合部材
２０  スライドファスナー
２１  上側スライダー
２２  下側スライダー
２３，２４  務歯列
２５  蝶棒
３０  簡易分離ファスナー
Ａ  選手
Ｄ  コスチューム
Ｈ１，Ｈ２  手
Ｊ  ジャケット
Ｐ  トレーニング用ズボン
Ｓ  スケート靴
【図１】
0003207003.tif 000003
【図２】
0003207003.tif 000004
【図３】
0003207003.tif 000005
【図４】
0003207003.tif 000006
【図５】
0003207003.tif 000007
【図６】
0003207003.tif 000008
【図７】
0003207003.tif 000009
【図８】
0003207003.tif 000010
【図９】
0003207003.tif 000011
【図１０】
0003207003.tif 000012
【図１１】
0003207003.tif 000013
【図１２】
0003207003.tif 000014
【図１３】
0003207003.tif 000015
【図１４】
0003207003.tif 000016
【図１５】
0003207003.tif 000017
【図１６】
0003207003.tif 000018
【図１７】
0003207003.tif 000019